(57)【特許請求の範囲】
【請求項１】
互いに別体に設けられた第１及び第２容器と、前記第１及び第２容器にそれぞれ対応させて設けた第１及び第２容器蓋とを備え、
前記第１及び第２容器蓋のそれぞれの下面中央部を、その対応する前記第１及び第２容器の上面容器口を覆うように形成した弁当箱において、
前記第１及び第２容器蓋を、互いの下面で入り込み合うように嵌合可能とし、前記第１及び第２容器蓋が嵌合されると、両容器蓋のそれぞれに形成された周壁同士が全周に亘って接触することにより互いの前記下面中央部を閉じ合うようにしたことを特徴とする弁当箱。
【請求項２】
前記第１及び第２容器蓋の各下面外周部を、その対応する前記第１及び第２容器の側周壁上部に嵌合される溝構造とし、前記第１及び第２容器蓋の一方の溝側壁を他方の下面外周部の溝内に押し込んで両容器蓋が嵌合されるようにした請求項１に記載の弁当箱。
【請求項３】
前記第１及び第２容器と別体に設けられた断熱構造の主容器と、この主容器の上面容器口を覆う断熱構造の主容器蓋とを備え、
前記第１及び第２容器蓋を、互いに嵌合された状態で前記主容器蓋上に載置可能とし、
前記第１及び第２容器蓋のうちの少なくとも一方の容器蓋と、前記主容器蓋とに、前記少なくとも一方の容器蓋の前記主容器蓋に対する載置位置を決める凹凸部を設けた請求項１又は２に記載の弁当箱。
【請求項４】
前記第１容器と前記第２容器を入れ子とし、その入れ子状態で前記第１及び第２容器を前記主容器内に収納可能とした請求項３に記載の弁当箱。
【発明の詳細な説明】
【技術分野】
【０００１】
この発明は、互いに別体に設けられた第１及び第２容器と、これら第１及び第２容器の上面容器口を覆う第１容器蓋及び第２容器蓋とを備えた弁当箱に関する。
【背景技術】
【０００２】
この種の弁当箱としては、例えば、前記第１及び第２容器の他に、これらと別体に設けられた断熱構造の主容器と、この主容器の上面容器口を覆う断熱構造の主容器蓋とを備えているものがある（例えば、特許文献１）。
【０００３】
主容器は、ご飯類が詰められることを前提とした容器である。一方、第１及び第２容器は、菜類が詰められることを前提としており、特別な断熱構造をもたない容器になっている。
【０００４】
前記第１容器蓋及び第２容器蓋の下面中央部は、それぞれ対応する第１容器及び第２容器の上面容器口の被覆板となっている。また、第１及び第２容器蓋の下面外周部は、それぞれ対応する第１容器及び第２容器の周壁上部に押し込まれる嵌合部となっている。このように、第１及び第２容器蓋の下面外周部を嵌合部とすることにより、第１及び第２容器蓋の外形最小化が図られている。
【０００５】
上述のように弁当箱の容器数が複数になると、携帯性を考慮して収納袋や収納容器が別途用意されることが多い。
【０００６】
【特許文献１】特開２００１−１３７０３１号公報
【発明の開示】
【発明が解決しようとする課題】
【０００７】
しかしながら、弁当箱の容器数が多くなる程、収納袋や収納容器が大型化し、コスト高になる。このため、弁当箱は、少しでも収納空間がコンパクトにしなければならない。
また、汁気物の菜類を容器に詰めると、収納袋や収納容器内で空になった弁当箱を携帯する間に、容器や容器蓋に付着していた汁気が漏れ、収納袋等を汚してしまう。空容器は携帯時に姿勢が比較安定しているが、容器蓋を容器から外した状態で携帯する場合、容器蓋が収納袋等の中で動き回り、器蓋に付着していた汁気で収納袋等が汚れ易い。
【０００８】
そこで、この発明の課題は、複数の容器蓋を各容器から外した状態で弁当箱を収納袋等で携帯する間にその収納袋等が容器蓋の汁気で汚れることを防止しつつ、複数の容器蓋の収納空間を小さくすることにある。
【課題を解決するための手段】
【０００９】
上記の課題を達成するため、この発明は、互いに別体に設けられた第１及び第２容器と、前記第１及び第２容器にそれぞれ対応させて設けた第１及び第２容器蓋とを備え、前記第１及び第２容器蓋のそれぞれの下面中央部を、その対応する前記第１及び第２容器の上面容器口を覆うように形成した弁当箱において、前記第１及び第２容器蓋を、互いの下面で入り込み合うように嵌合可能とし、前記第１及び第２容器蓋が嵌合されると、両容器蓋のそれぞれに形成された周壁同士が全周に亘って接触することにより互いの前記下面中央部を閉じ合うようにした構成を採用したものである。
【００１０】
具体的には、前記第１及び第２容器蓋を、互いの下面で入り込み合うように嵌合可能とした構成により、両容器蓋を個別に収納する場合より収納空間が両容器蓋の上下方向に圧縮される。すなわち、複数の容器蓋の収納空間が小さくなる。
ここで、前記第１及び第２容器蓋を、互いの下面で入り込み合うように嵌合させる構成としたので、前記第１及び第２容器蓋が嵌合されると、両容器蓋のそれぞれに形成された周壁同士が全周に亘って接触する構成が可能になる。
係る構成と共に、前記周壁同士の全周に亘った接触により互いの前記下面中央部を閉じ合うようにした構成を採用することにより、両容器蓋の汁気付着部分である前記下面中央部が向かい合う空間を閉鎖的に形成される。すなわち、第１及び第２容器蓋を第１及び第２容器からそれぞれ外した状態でも、第１及び第２容器蓋から汁気が漏れることは防止される。
したがって、この構成によれば、複数の容器蓋を各容器から外した状態で弁当箱を収納袋等で携帯する間にその収納袋等が容器蓋の汁気で汚れることを防止しつつ、容器蓋の収納空間を小さくすることができる。
【００１１】
上記構成において、前記第１及び第２容器蓋の各下面外周部を、その対応する前記第１及び第２容器の側周壁上部に嵌合される溝構造とし、前記第１及び第２容器蓋の一方の溝側壁を他方の下面外周部の溝内に押し込んで両容器蓋が嵌合されるようにした構成を採用することができる。
この構成によれば、第１及び第２容器蓋の第１及び第２容器に対する着脱用の溝構造を利用して上記の閉鎖を実現することができる。係る溝構造は、上述のように両容器蓋の外形最小化に有利である。すなわち、この構成によれば、第１及び第２容器蓋の蓋形状の最小化と複雑化防止を両立させることができる。
【００１２】
また、上記構成において、前記第１及び第２容器と別体に設けられた断熱構造の主容器と、この主容器の上面容器口を覆う断熱構造の主容器蓋とを備え、前記第１及び第２容器蓋を、互いに嵌合された状態で前記主容器蓋上に載置可能とし、前記第１及び第２容器蓋のうちの少なくとも一方の容器蓋と、前記主容器蓋とに、前記少なくとも一方の容器蓋の前記主容器蓋に対する載置位置を決める凹凸部を設けた構成を採用すれば、互いに嵌合された前記第１及び第２容器蓋を、少なくとも一方の容器蓋を主容器蓋上に載置することで両容器蓋の収納位置がずれ難くなる。
したがって、この構成によれば、第１及び第２容器蓋が一体のまま収納袋等の中で動くことを防止し、その結果、その収納袋等が容器蓋の汁気で汚れることをより効果的に防止することができる。
また、第１及び第２容器蓋の収納空間が上下に圧縮されるため、前記主容器蓋上に載置する構成にしても、収納袋等の大型化を抑制しつつ、水平方向に弁当箱の収納空間を狭めることができる。
【００１３】
また、上記主容器を備えた構成において、前記第１容器と前記第２容器を入れ子とし、その入れ子状態で前記第１及び第２容器を前記主容器内に収納可能とした構成を採用することができる。
この構成によれば、前記第１及び第２容器蓋が前記主容器蓋上に載置されるため、第１容器及び第２容器を入れ子にすれば、主容器の大型化を避けつつ、両容器を主容器内に収納し、弁当箱の収納空間を大幅に小さくすることができる。
ここで、主容器は、断熱構造を有するため、大型化すると特に製造が困難になり、コストが高くなる。この構成は、主容器の大型化を避けることが可能であり、弁当箱のコスト高を防止しつつ、収納空間を小さくすることができる点で効果的である。
また、前記第１及び第２容器が主容器内に収納されるため、第１容器及び第２容器からの汁気漏れを主容器蓋のシール構造を利用して確実に防止することができ、その収納袋等が空容器からの汁気で汚れることを確実に防止することができる。
【発明の効果】
【００１４】
上述のように、この発明の弁当箱は、上記の構成の採用により、複数の容器蓋を各容器から外した状態で弁当箱を収納袋等で携帯する間にその収納袋等が容器蓋の汁気で汚れることを防止しつつ、容器蓋の収納空間を小さくすることができる。
【発明を実施するための最良の形態】
【００１５】
以下、この発明の実施形態に係る保温弁当箱を添付図面に基づいて説明する。
図１から図３に示すように、実施形態に係る弁当箱は、互いに別体に設けられた第１及び第２容器１０、２０と、断熱構造の主容器３０とを備えている。
【００１６】
第１及び第２容器１０、２０は、第１容器１０が親容器、第２容器２０が子容器となる入れ子式になっている。
【００１７】
主容器３０は、断熱容器３１と、内容器３２とからなる。断熱容器３１は、外ケース３１ａと、内ケース３１ｂとを一体化し、両ケース３１ａ、３１ｂ間に、真空断熱層３１ｃを有する。内容器３２に真空断熱層を直接形成し、主容器３０を単体の容器から構成することもできる。また、他の断熱構造を採用することもできる。
【００１８】
また、実施形態に係る弁当箱は、第１及び第２容器１０、２０にそれぞれ対応させて設けた第１及び第２容器蓋１１、２１と、主容器３０の上面容器口を覆う断熱構造の主容器蓋３３とを備えている。
【００１９】
第１及び第２容器蓋１１、２１のそれぞれの下面中央部１１ａ、２１ａは、その対応する前記第１及び第２容器１０、２０の上面容器口を覆うように形成されている。
【００２０】
主容器蓋３３の断熱構造は、その内部空間に断熱材３３ａが充填されることにより設けられている。なお、真空断熱層にすることもできる。
【００２１】
主容器蓋３３の外周には、全周に亘ってパッキン３３ｂが設けられており、主容器蓋３３の外周を内容器３２の内周上部に嵌合すると、水密にシールされるようになっている。
【００２２】
ここで、前記第１容器１０と前記第２容器２０は、入れ子状態で前記主容器３０の内容器３２内に収納可能な大きさ関係になっている。この収納状態でも主容器蓋３３が干渉することなく内容器３２に嵌合させられるようになっている。
【００２３】
前記第１及び第２容器蓋１１、２１の各下面外周部１１ｂ、２１ｂは、その対応する前記第１及び第２容器１０、２０の側周壁上部１０ａ、２０ａに嵌合される溝構造となっている。
【００２４】
前記第１及び第２容器蓋１１、２１の各下面外周部１１ｂ、２１ｂの一方の溝側壁１１ｃ、２１ｃは、全周に亘って膨出部になっている。一方、第１及び第２容器１０、２０の側周壁上部１０ａ、２０ａは、それぞれ全周に亘って膨出部になっている。係る膨出により、前記第１及び第２容器蓋１１、２１は、その各下面外周部１１ｂ、２１ｂの溝構造を対応する第１及び第２容器１０、２０の側周壁上部１０ａ、２０ａに押し込んで着脱可能に嵌合させることが可能になっている。
【００２５】
ここで、前記第２容器蓋２１の各下面外周部２１ｂは、その一方の溝側壁２１ｃが前記第１容器蓋１１の下面外周部１１ｂの溝と上下方向に対向させられる寸法関係になっている。これにより、両容器蓋１１、２１を、互いの下面で入り込み合うように嵌合させることが可能になっている。両容器蓋１１、２１を個別に収納する場合より、収納空間が両容器蓋１１、２１の上下方向に圧縮される。すなわち、両容器蓋１１、２１の収納空間が小さくなる。
【００２６】
また、両容器蓋１１、２１を嵌合させる際には、両容器蓋１１、２１の一方の溝側壁１１ｃ、２１ｃ間の膨出構造に伴う係合により押し込みが可能になっており、これにより、両容器蓋１１、２１の嵌合を着脱可能にしている。
【００２７】
また、係る押し込み嵌合により、前記第１及び第２容器蓋１１、２１が嵌合されると、両容器蓋１１、２１のそれぞれに形成された一方の溝側壁１１ｃ、２１ｃの膨出により、一方の溝側壁１１ｃ、２１ｃ（周壁）同士が全周に亘ってしっかりと接触する。これにより、互いの下面中央部１１ａ、２１ａを閉じ合うことができる。その結果、係る押し込み嵌合により、両容器蓋１１、２１の汁気付着部分である下面中央部１１ａ、２１ａが向かい合う空間は、閉鎖的に形成される。すなわち、第１及び第２容器蓋１１、２１を第１及び第２容器１０、２０からそれぞれ外した状態でも、第１及び第２容器蓋１１、２１から汁気が漏れることは防止される。
【００２８】
また、前記第１及び第２容器蓋１１、２１は、互いに嵌合された状態で前記主容器蓋３３上に載置可能な大きさになっている。
【００２９】
前記第１及び第２容器蓋１１、２１の両方（少なくとも一方でよい）の上面には、環状の突内周部１１ｄ、２１ｄが形成されている。一方、主容器蓋３３の上面には、環状の突内周部１１ｄ、２１ｄより小径の突外周部３３ｃが形成されている。第１及び第２容器蓋１１、２１の突内周部１１ｄ、２１ｄ（凹凸部）と、主容器蓋３３の突外周部３３ｃ（凹凸部）は、前記第１及び第２容器蓋１１、２１のいずれが主容器蓋３３上に載置された場合でも、その容器蓋の前記主容器蓋３３に対する載置位置を径方向に決める。したがって、互いに嵌合された前記第１及び第２容器蓋１１、２１は、主容器蓋３３上に載置されることで収納位置がずれ難くなっている。
【００３０】
この実施形態に係る弁当箱には、図４に示すように、専用の収納袋４０が用意されている。収納袋４０に主容器３０を収納し、嵌合された第１及び第２容器蓋１１、２１を主容器蓋３３上に載置し、巾着口４２を絞ると、巾着口４２が第１及び第２容器蓋１１、２１を径方向及び上方から絞めるようになっている。このため、第１及び第２容器蓋１１、２１の突内周部１１ｄ、２１ｄ（凹凸部）と、主容器蓋３３の突外周部３３ｃ（凹凸部）がよりずれ動き難くい。
【００３１】
また、第１及び第２容器蓋１１、２１の収納空間が上下に圧縮されるため、前記主容器蓋３３上に載置する場合でも、収納袋４０の大型化を抑制しつつ、水平方向に弁当箱の収納空間を狭めることができる。
【００３２】
この実施形態に係る弁当箱では、収納袋４０が、第１及び第２容器１０、２０を入れ子にして主容器３０内に収納された状態でその袋側周４１に生じる余剰空間を自在に絞ることが可能なものになっている。これにより、持ち手ベルト４３を持って収納袋４０を携帯しても、収納袋４０内における主容器３０のずれ動きが防止される。
【００３３】
上述のように、この実施形態に係る弁当箱は、図３、図４に示すように、第１及び第２容器蓋１１、２１を各容器１０、２０から外した状態で両容器蓋１１、２１を個別に収納する場合より収納空間が両容器蓋の上下方向に圧縮されるので、第１及び第２容器蓋１１、２１の収納空間を小さくすることができる。
【００３４】
この実施形態に係る弁当箱は、第１及び第２容器蓋１１、２１を各容器１０、２０から外した状態で弁当箱を収納袋４０で携帯する間に、両容器蓋１１、２１の汁気付着部分である前記下面中央部１１ａ、２１ａが向かい合う空間を閉鎖的に形成されるので、その収納袋４０が第１及び第２容器蓋１１、２１の汁気で汚れることを防止することができる。
【００３５】
また、この実施形態に係る弁当箱は、第１及び第２容器蓋１１、２１の第１及び第２容器１０、２０に対する着脱用の溝構造１１ｂ、２１ｂを利用して上記の閉鎖を実現することができる、すなわち、第１及び第２容器蓋１１、２１の蓋形状の最小化と複雑化防止を両立させることができる。
【００３６】
また、この実施形態に係る弁当箱は、第１及び第２容器蓋１１、２１の突内周部１１ｄ、２１ｄ（凹凸部）と、主容器蓋３３の突外周部３３ｃとにより、第１及び第２容器蓋１１、２１が一体のまま収納袋４０の中でずれ動くことを防止されるので、その収納袋４０が第１及び第２容器蓋１１、２１の汁気で汚れることをより効果的に防止することができる。
【００３７】
また、この実施形態に係る弁当箱は、第１及び第２容器蓋１１、２１の収納空間が上下に圧縮されるため、前記主容器蓋３３上に載置しても、収納袋４０の大型化を抑制しつつ、水平方向に弁当箱の収納空間を狭めることができる。
【００３８】
また、この実施形態に係る弁当箱は、前記第１及び第２容器蓋１１、２１が前記主容器蓋３３上に載置され、第１及び第２容器１０、２０が入れ子のため、主容器３０の大型化を避けつつ、両容器１０、２０を主容器３０の内容器３２内に収納し、弁当箱の収納空間を大幅に小さくすることができる。
【００３９】
結果的に、この実施形態に係る弁当箱は、真空断熱層３１ｃを有する断熱容器３１、内容器３２等の大型化が防止されるので、弁当箱のコスト高を防止しつつ、その収納空間を小さくすることができる。
【００４０】
また、この実施形態に係る弁当箱は、前記第１及び第２容器１０、２０が主容器３０内に収納されるため、両容器１０、２０からの汁気漏れを主容器蓋３３のパッキン３３ｂにより確実に防止することができ、収納袋４０が空の両容器１０、２０からの汁気で汚れることを確実に防止することができる。
【図面の簡単な説明】
【００４１】
【図１】（ａ）実施形態に係る弁当箱の第１及び第２容器の縦断面図、（ｂ）実施形態に係る弁当箱の主容器の縦断面図
【図２】図１の弁当箱の全体斜視図
【図３】図１の弁当箱の主容器に第１及び第２容器を収納し、第１及び第２容器蓋を主容器蓋上に載置した状態の縦断面図
【図４】図３の状態で収納袋内に弁当箱を収納した様子を示す作用図
【符号の説明】
【００４２】
１０  第１容器
１０ａ  側周壁上部
１１  第１容器蓋
１１ａ  下面中央部
１１ｂ  下面外周部
１１ｃ  溝側壁
１１ｄ  突内周部（凹凸部）
２０  第２容器
２０ａ  側周壁上部
２１  第２容器蓋
２１ａ  下面中央部
２１ｂ  下面外周部
２１ｃ  溝側壁（周壁）
２１ｄ  突内周部（凹凸部）
３０  主容器
３１  断熱容器
３１ａ  外ケース
３１ｂ  内ケース
３１ｃ  真空断熱層（断熱構造）
３２  内容器
３３  主容器蓋
３３ａ  断熱材（断熱構造）
３３ｂ  パッキン
３３ｃ  突外周部（凹凸部）
４０  収納袋
４１  袋側周
４２  巾着口
４３  持ち手ベルト
【図１】
0004846453.tif 000002
【図２】
0004846453.tif 000003
【図３】
0004846453.tif 000004
【図４】
0004846453.tif 000005